(57)【要約】【課題】取付作業が簡便であり、防水性に優れた浴槽パン防水部材を提供する。【解決手段】浴槽パン防水部材１０は、浴槽パン１に取り付けられて開口部２を覆うと共に設備配管３が通されるベース部１１と、このベース部１１の上面において設備配管３の周囲を覆うカバー部１７とを有し、ベース部１１とカバー部１７とが一体成型である。【選択図】図５
2020020138.tif 000002
【特許請求の範囲】
【請求項１】
浴槽が設置される浴槽パンに形成されて配管が通される開口部を覆う浴槽パン防水部材において、
浴槽パンに取り付けられて開口部を覆うと共に配管が通されるベース部と、このベース部の上面において配管の周囲を覆うカバー部と、が一体成型である、
ことを特徴とする浴槽パン防水部材。
【請求項２】
前記カバー部の下部が、前記ベース部の下面から浴槽パンに至るまで突出している、
ことを特徴とする請求項１に記載された浴槽パン防水部材。
【請求項３】
前記カバー部の高さが、浴槽パンと洗い場との境界部よりも高い、
ことを特徴とする請求項１または請求項２に記載された浴槽パン防水部材。
【請求項４】
前記カバー部が伸縮する、
ことを特徴とする請求項１から請求項３いずれか１項に記載された浴槽パン防水部材。
【請求項５】
最も収縮した前記カバー部の高さが、浴槽パンと洗い場との境界部よりも高い、
ことを特徴とする請求項４に記載された浴槽パン防水部材。
【請求項６】
前記ベース部が、配管が通される孔部と、当該ベース部の下面において開口部の周囲に配置されるパッキンとを有し、
前記カバー部が、前記孔部に連接されて上方に向けて伸びた管状であって、蛇腹を有する、
ことを特徴とする請求項１から請求項５いずれか１項に記載された浴槽パン防水部材。
【発明の詳細な説明】
【技術分野】
【０００１】
本発明は、浴室の浴槽パンに用いられる浴槽パン防水部材に関するものである。
【背景技術】
【０００２】
従来、浴室の防水性や浴槽の保温性を高めるために、浴槽の下に、浴槽パンが施設される場合がある。浴槽パンは、浴室への給水配管が通るための開口部が形成されているものがあるため、この開口部にカバーが取り付けられる。このようなカバーとして、下記特許文献１に記載された蓋体がある。
【０００３】
この蓋体は、浴槽パンの開口部を通った配管の位置に合わせて、配管が通される孔が施工時において形成される。孔は、パッキンが取り付けられ、ゴム筒体、各ネジフランジが順次取り付けられる。
【先行技術文献】
【特許文献】
【０００４】
【特許文献１】特開２００９−９１７４８号公報
【発明の概要】
【発明が解決しようとする課題】
【０００５】
しかし、上記したとおり、蓋体は、施工時の加工や各ネジフランジの組付け作業を要するため、作業が煩雑であり、また、各部材同士の隙間から漏水して躯体が浸水する場合がある。
【０００６】
本発明は、この様な実情に鑑みて提案されたものである。すなわち、取付作業が簡便であり、防水性に優れた浴槽パン防水部材の提供を目的とする。
【課題を解決するための手段】
【０００７】
上記目的を達成するために、本発明に係る浴槽パン防水部材は、浴槽が設置される浴槽パンに形成されて配管が通される開口部を覆う浴槽パン防水部材において、浴槽パンに取り付けられて開口部を覆うと共に配管が通されるベース部と、このベース部の上面において配管の周囲を覆うカバー部と、が一体成型である、ことを特徴とする。
【０００８】
本発明に係る浴槽パン防水部材は、前記カバー部の下部が、前記ベース部の下面から浴槽パンに至るまで突出している、ことを特徴とする。
【０００９】
本発明に係る浴槽パン防水部材は、前記カバー部の高さが、浴槽パンと洗い場との境界部よりも高い、ことを特徴とする。
【００１０】
本発明に係る浴槽パン防水部材は、前記カバー部が伸縮する、ことを特徴とする。
【００１１】
本発明に係る浴槽パン防水部材は、最も収縮した前記カバー部の高さが、浴槽パンと洗い場との境界部よりも高い、ことを特徴とする。
【００１２】
本発明に係る浴槽パン防水部材は、前記ベース部が、配管が通される孔部と、当該ベース部の下面において開口部の周囲に配置されるパッキンとを有し、前記カバー部が、前記孔部に連接されて上方に向けて伸びた管状であって、蛇腹を有する、ことを特徴とする。
【発明の効果】
【００１３】
本発明に係る浴槽パン防水部材は、浴槽パンに取り付けられて開口部を覆うと共に配管が通されるベース部と、このベース部の上面において配管の周囲を覆うカバー部とが、一体成型である。すなわち、ベース部とカバー部とが一体成型であるため、部材同士を組み立てる必要がない。したがって、容易に浴槽パンに取り付けることができる。また、各部同士の間に隙間がないため、優れた防水性を実現することができる。
【００１４】
本発明に係る浴槽パン防水部材は、カバー部の下部が、ベース部の下面から浴槽パンに至るまで突出している。この構成により、カバー部の下部が浴槽パンに当たり、浴槽パン防水部材と浴槽パンとの隙間において、優れた防水性を実現することができる。なお、防水を目的として、ベース部と浴槽パンとの隙間にシリコンなどでコーキングが施される場合があるが、本発明であれば、コーキングの有無に関わらず優れた防水性を実現することができる。
【００１５】
本発明に係る浴槽パン防水部材は、カバー部の高さが、浴槽パンと洗い場との境界部よりも高く形成されている。この構成により、仮に、浴槽パンに浸水した場合であっても、水位が浴槽パンと洗い場との境界部に達すれば、水は境界部から洗い場に流れて排水される。すなわち、水は、境界部よりも高さが高いカバー部に達することがない。したがって、優れた防水性を実現することができる。
【００１６】
本発明に係る浴槽パン防水部材は、カバー部が伸縮する。この構成により、開口部から突き出た配管の向きや長さに応じて、カバー部を伸縮させることができる。したがって、容易に浴槽パンに取り付けることができる。
【００１７】
本発明に係る浴槽パン防水部材は、最も収縮したカバー部の高さが、浴槽パンと洗い場との境界部よりも高く形成されている。この構成により、仮に、カバー部が最も収縮した状態で、浴槽パンに浸水した場合であっても、水位が浴槽パンと洗い場との境界部に達すれば、水は境界部から洗い場に流れて排水される。したがって、優れた防水性を実現することができる。
【００１８】
本発明に係る浴槽パン防水部材は、ベース部が、配管が通される孔部と、当該ベース部の下面において開口部の周囲に配置されるパッキンとを有し、カバー部が、孔部に連接されて上方に向けて伸びた管状であって、蛇腹を有している。すなわち、パッキンによって、浴槽パン防水部材と浴槽パンとの隙間において、優れた防水性を実現することができる。カバー部の下部が浴槽パンに当たることで、さらに優れた防水性を実現することができる。なお、本発明であれば、浴槽パン防水部材が浴槽パンに取り付けられた後に、防水を目的としてベース部の周囲に施されるコーキングは不要となる。また、開口部から突き出た配管の向きや長さに応じて、蛇腹によってカバー部を任意の向きに変形または伸縮させることができる。したがって、容易に浴槽パンに取り付けることができる。
【図面の簡単な説明】
【００１９】
【図１】図１は、本発明の実施形態に係る浴槽パン防水部材の外観が示され、（ａ）は上方から視した平面側斜視図、（ｂ）は下方から視した底面側斜視図である。
【図２】図２は、本発明の実施形態に係る浴槽パン防水部材の外観が示され、（ａ）は平面図、（ｂ）は正面図、（ｃ）は側面図、（ｄ）は底面図である。
【図３】図３は、本発明の実施形態に係る浴槽パン防水部材の断面が示され、（ａ）は図２（ａ）におけるＩＩ−Ａ断面図、（ｂ）は図２（ｃ）におけるＩＩ−Ｂ断面図、（ｃ）は図２（ａ）におけるＩＩ−Ｃ断面図である。
【図４】図４は、本発明の実施形態に係る浴槽パン防水部材が取付られる浴槽パンの一部が示され、浴槽パン防水部材の取付過程を説明するための説明図である。
【図５】図５は、本発明の実施形態に係る浴槽パン防水部材が浴槽パンに取り付けられる過程において、浴槽パン防水部材が浴槽パンに取り付けられる直前の状態を説明するための説明図である。
【図６】図６は、本発明の実施形態に係る浴槽パン防水部材が浴槽パンに取り付けられる過程において、浴槽パン防水部材が浴槽パンに取り付けられた状態を説明するための説明図である。
【図７】図７は、本発明の実施形態に係る浴槽パン防水部材が浴槽パンに取り付けられた状態において、配管を壁側接続口に接続する過程を説明するための説明図である。
【図８】図８は、本発明の実施形態に係る浴槽パン防水部材が取り付けられた浴槽パンおよび洗い場の断面が示され、（ａ）はカバー部材が自然長の状態の浴槽パン断面図、（ｂ）はカバー部材が収縮した状態の浴槽パン断面図である。
【発明を実施するための形態】
【００２０】
以下に、本発明の実施形態に係る浴槽パン防水部材を図面に基づいて説明する。図１から図３は、浴槽パン防水部材が示されている。図１および図２は、浴槽パン防水部材１０の外観が示され、図３は、浴槽パン防水部材１０の断面が示されている。また、図４から図７は、浴槽パン防水部材１０の取り付け過程が示されている。図８は、浴槽パン防水部材１０が取り付けられた浴槽パン１および洗い場３０の断面が示されている。
【００２１】
図５に示されているとおり、浴槽パン防水部材１０は、浴槽（図示省略。）が設置される浴槽パン１に形成された開口部２を覆うものである。開口部２は、設備用の給水配管および給湯配管（以下、設備用の給水配管および給湯配管を「設備配管」と記す。）が、躯体側から浴槽側に向けて通されており、設備配管３の先端が浴槽パン１から突出している。浴槽パン防水部材１０は、設備配管３が通された状態で、開口部２を覆って浴槽パン１に取り付けられる。
【００２２】
ここで、浴槽パン防水部材１０を図面に基づいて説明する。図１から図３に示されているとおり、浴槽パン防水部材１０は、浴槽パン１に取り付けられて開口部２を覆うと共に設備配管３が通されるベース部１１と、このベース部１１の上面において設備配管３の周囲を覆うカバー部１７とを有している。ベース部１１とカバー部１７とは、一体成型である。
【００２３】
ベース部１１は、例えば、ポリプロピレンなどの樹脂製である。なお、素材は、例えば、ポリエチレンやポリスチレンなどのプラスチック製であればよい。ベース部１１は、上下に貫通した孔部１２が二箇所に形成されている。各孔部１２の直径は、設備配管３が通る大きさである。各孔部１２の周縁は、ベース部１１の上面側から上方に向けて突出した環状のリブが形成されている。リブは、内側環状リブ１３と、この内側環状リブ１３と隙間を開けて配置された外側環状リブ１４とで二重に形成されている。ベース部１１の長手方向の端部は、上面側から上方に向けて突出した板状リブ１５が形成されている。ベース部１１の四隅は、上下に貫通したネジ孔１６が形成されている。ベース部１１の下面の周縁部は、パッキン３４が取り付けられる。
【００２４】
カバー部１７は、例えば、ゴムなどのエラストマー製である。カバー部１７は、ベース部１１の孔部１２に連接されて上方に向けて伸びた管状であり、ベース部１１側から、突出止水部１８、基部１９、蛇腹部２０および先端部２１が連接されている。基部１９は、円筒状であり、ベース部１１の内側環状リブ１３と外側環状リブ１４との隙間に配置されている。突出止水部１８は、基部１９の下部に連接され、ベース部１１の下面側から伸びて浴槽パン１に至るまで突出している。突出止水部１８は、二つの孔部１２の周囲を囲う長円形である。なお、突出止水部１８は、単一の孔部１２の周囲を囲う円形であってもよい。この場合、突出止水部１８が孔部１２ごとに形成される。蛇腹部２０は、基部１９の上部に連接された円筒状であり、蛇腹構造を有している。先端部２１は、蛇腹部２０の上部に連接された円筒状である。
【００２５】
上記のとおり、浴槽パン防水部材１０が構成されている。次に、浴槽パン防水部材１０の取り付け手順を図面に基づいて説明する。
【００２６】
図４に示されているとおり、浴槽パン１の開口部２に設備配管３が通された状態において、設備配管３にシール状パッキン４が巻き付けられる。図５に示されているとおり、浴槽パン１のネジ孔５にシリコンなどのコーキング材６を塗布する。設備配管３をカバー部１７に通しながら、浴槽パン防水部材１０を、開口部２に被せて浴槽パン１に取り付ける。ネジ孔５，１６にネジ７を通して、浴槽パン防水部材１０を浴槽パン１に固定する。浴槽パン防水部材１０が浴槽パン１に取り付けられた状態において、ベース部１１と浴槽パン１との隙間は、カバー部１７の突出止水部１８およびパッキン３４が開口部２の周囲に配置されている。ここで、浴槽パン防水部材１０が浴槽パン１に押し付けられて固定されたことで、パッキン３４は圧縮し、突出止水部１８が浴槽パン１に当たっている。図６に示されているとおり、カバー部１７の蛇腹部２０を、設備配管３の向きや長さに応じて伸縮させ、カバー部１７の先端部２１を、シール状パッキン４の周囲に配置する。結束バンド８で、先端部２１をシール状パッキン４ごと設備配管３に締め付ける。図７に示されているとおり、設備配管３と壁側接続口３１とをフレキシブル管３２などで連結する。
【００２７】
図８に示されているとおり、浴槽パン防水部材１０が浴槽パン１に取り付けられた状態において、カバー部１７の高さは、浴槽パン１と洗い場３０との境界部９よりも高い（図８（ａ）参照。）。仮に、カバー部１７が最も収縮した状態であっても、カバー部１７の高さは境界部９よりも高い（図８（ｂ）参照。）。
【００２８】
上記のとおり、浴槽パン防水部材１０が浴槽パン１に取り付けられる。次に、浴槽パン防水部材１０の効果を説明する。
【００２９】
上記したとおり、浴槽パン防水部材１０は、浴槽パン１に取り付けられて開口部２を覆うと共に設備配管３が通されるベース部１１と、このベース部１１の上面において設備配管３の周囲を覆うカバー部１７とを有し、ベース部１１とカバー部１７とは一体成型である（図１から図３参照）。すなわち、ベース部１１とカバー１７部とが一体成型であるため、部材同士を組み立てる必要がない。したがって、容易に浴槽パン防水部材１０を浴槽パン１に取り付けることができる。また、各部１１，１７同士の間に隙間がないため、優れた防水性を実現することができる。
【００３０】
浴槽パン防水部材１０のカバー部１７は、突出止水部１８が、ベース部１１の下面側から伸びて浴槽パン１に至るまで突出している（図３参照。）。突出止水部１８は、二つの孔部１２の周囲を囲っている（図２参照。）。この構成により、突出止水部１８が浴槽パン１に当たり、浴槽パン防水部材１０と浴槽パン１との隙間において、優れた防水性を実現することができる。
【００３１】
浴槽パン防水部材のカバー部１７は、例えば、ゴムなどのエラストマー製の管状であり、蛇腹部２０を有している。この構成により、開口部２から突き出た設備配管３の向きや長さに応じて、カバー部１７を伸縮させることができる。したがって、容易に浴槽パン防水部材１０を浴槽パン１に取り付けることができる。
【００３２】
浴槽パン防水部材１０は、浴槽パン１に取り付けられた状態において、カバー部１７の高さが、浴槽パン１と洗い場３０との境界部９よりも高い（図８参照。）。仮に、カバー部１７が最も収縮した状態であっても、カバー部１７の高さは境界部９よりも高い。この構成により、仮に、浴槽パン１に浸水した場合であっても、水位が境界部９に達すれば、水は境界部９から洗い場３０に流れて排水される。すなわち、水は、境界部９よりも高さが高いカバー部１７の先端部２１に達することがない。したがって、優れた防水性を実現することができる。
【００３３】
浴槽パン防水部材１０が浴槽パン１に取り付けられた状態において、ベース部１１と浴槽パン１との隙間は、カバー部１７の突出止水部１８およびパッキン３４が開口部２の周囲に配置されている。すなわち、パッキン３４によって、浴槽パン防水部材１０と浴槽パン１との隙間において、優れた防水性を実現することができ、突出止水部１８が浴槽パン１に当たることで、さらに優れた防水性を実現することができる。この構成であれば、浴槽パン防水部材１０が浴槽パン１に取り付けられた後に、防水を目的としてベース部１１の周囲に施されるコーキングは不要である。
【００３４】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００３５】
１    浴槽パン
２    開口部
３    設備配管
４    シール状パッキン
５    ネジ孔
６    コーキング材
７    ネジ
８    結束バンド
９    境界部
１０  浴槽パン防水部材
１１  ベース部
１２  孔部
１３  内側環状リブ
１４  外側環状リブ
１５  板状リブ
１６  ネジ孔
１７  カバー部
１８  突出止水部
１９  基部
２０  蛇腹部
２１  先端部
３０  洗い場
３１  壁側接続口
３２  フレキシブル管
３４  パッキン
【図１】
2020020138.tif 000003
【図２】
2020020138.tif 000004
【図３】
2020020138.tif 000005
【図４】
2020020138.tif 000006
【図５】
2020020138.tif 000007
【図６】
2020020138.tif 000008
【図７】
2020020138.tif 000009
【図８】
2020020138.tif 000010